(57)【要約】【課題】他の電子部品の固定構造と部材等の共通化がしやすい新規な構成の電子部品の固定構造を得る。【解決手段】固定構造３０は、接触部３１ａと、第一部材３３と、固定部３６と、を備えている。接触部３１ａは、前壁１１の内面１１ｂに設けられ、電子部品２１と接触している。第一部材３３は、接触部３１ａとによって電子部品２１を挟んだ押さえ部３３ａと、内面１１ｂと交差する第一方向Ｄ１の位置および第一方向Ｄ１と交差する交差方向Ｄ２の位置とが押さえ部３３ａと異なる被固定部３３ｃと、を有している。固定部３６は、被固定部３３ｃを前壁１１に固定している。【選択図】図５
2020080374.tif 000002
【特許請求の範囲】
【請求項１】
面を有し筐体に設けられた壁と、
前記面に設けられ、電子部品と接触した接触部と、
前記接触部に対して前記面と交差する第一方向に位置され前記接触部とによって前記電子部品を挟んだ板状の押さえ部と、前記押さえ部と接続され、前記第一方向の位置および前記第一方向と交差する交差方向の位置が前記押さえ部と異なる被固定部と、を有した第一部材と、
前記被固定部を前記壁に固定した固定部と、
を備えた電子部品の固定構造。
【請求項２】
前記被固定部には、当該被固定部を前記第一方向に貫通した第一開口部が設けられ、
前記固定部は、前記第一方向に突出し前記第一開口部が重ねられた筒部と、前記第一開口部および前記筒部内に入れられ、前記第一部材を前記筒部に固定した固定具と、を有し、
前記筒部と前記第一開口部との少なくとも一方は、前記押さえ部を通り前記交差方向と直交する仮想平面に関して対称に二つ設けられた、請求項１に記載の電子部品の固定構造。
【請求項３】
前記筒部と前記第一開口部とは、それぞれ、前記仮想平面に関して対称に二つ設けられた、請求項２に記載の電子部品の固定構造。
【請求項４】
前記面に設けられ、前記第一方向に突出した第一突起と、
前記押さえ部に固定されて前記電子部品と接触したシートと、
を備え、
前記押さえ部には、それぞれが前記第一方向に前記押さえ部を貫通し、互いに前記交差方向に離間した二つの第二開口部が設けられ、
二つの前記第二開口部のうち一つには、前記第一突起が入れられ、二つの前記第二開口部のうち他の一つは、前記シートによって覆われた、請求項１〜請求項３のうちいずれか一つに記載の電子部品の固定構造。
【請求項５】
前記押さえ部は、当該押さえ部の厚さ方向に互いに離間した一対の面を有し、
前記シートは、当該シートの厚さ方向に互いに離間した一対の面を有し、当該一対の面のうち一方は接着面であり、
前記シートは、前記押さえ部の前記一対の面のうち一方に前記接着面が接着した場合には、二つの前記第二開口部のうちの一方を塞ぎ、前記押さえ部の前記一対の面のうち他方に前記接着面が接着した場合には、二つの前記第二開口部のうちの他方を塞ぐように構成された、請求項４に記載の電子部品の固定構造。
【請求項６】
前記押さえ部には、当該押さえ部を前記第一方向に貫通し当該押さえ部の前記交差方向の中心から離れた第三開口部が設けられ、
前記シートには、当該シートを前記第一方向に貫通し前記第三開口部と重ねられた第四開口部が設けられた、請求項４または請求項５に記載の電子部品の固定構造。
【請求項７】
前記シートは、色を有した、請求項４〜請求項６のうちいずれか一つに記載の電子部品の固定構造。
【請求項８】
前記面に設けられ、前記第一方向に突出し、前記仮想平面に関して対称に設けられた二つの第二突起を備え、
前記固定部には、それぞれが当該固定部を前記第一方向に貫通し、前記仮想平面に関して対称に設けられ二つの前記第二突起に入れられた二つの第五開口部が設けられた、請求項２または請求項３に記載の電子部品の固定構造。
【請求項９】
請求項１〜請求項８のうちいずれか一つに記載の電子部品の固定構造と、
前記筐体と、
前記電子部品と、
を備えた電子機器。
【発明の詳細な説明】
【技術分野】
【０００１】
本発明は、電子部品の固定構造および電子機器に関する。
【背景技術】
【０００２】
従来、筐体に電子部品を固定する、電子部品の固定構造（以後、単に固定構造とも称する）が知られている。
【先行技術文献】
【特許文献】
【０００３】
【特許文献１】特開２０１３−１３０９６９号公報
【発明の概要】
【発明が解決しようとする課題】
【０００４】
この種の電子機器の筐体では、例えば、厚さの異なる二つの電子部品に対する二つの固定構造における部材等を共通化することができれば、有益である。
【０００５】
そこで、本発明の課題の一つは、他の電子部品の固定構造と部材等の共通化がしやすい新規な構成の電子部品の固定構造および電子機器を得ることである。
【課題を解決するための手段】
【０００６】
本発明の第一態様にかかる電子部品の固定構造は、面を有し筐体に設けられた壁と、前記面に設けられ、電子部品と接触した接触部と、前記接触部に対して前記面と交差する第一方向に位置され前記接触部とによって前記電子部品を挟んだ板状の押さえ部と、前記押さえ部と接続され、前記第一方向の位置および前記第一方向と交差する交差方向の位置が前記押さえ部と異なる被固定部と、を有した第一部材と、前記被固定部を前記壁に固定した固定部と、を備えている。
【０００７】
このような構成によれば、例えば、上記の第一部材と同形状の別の第一部材を上記の第一部材と逆の姿勢で用いることにより、上記の電子部品と第一方向の厚さが異なるとともに当該別の第一部材によって押さえることが可能な別の電子部品を、当該別の第一部材によって固定することができる。よって、他の電子部品の固定構造と部材等の共通化がしやすい新規な構成の電子部品の固定構造を得ることができる。
【０００８】
また、前記電子部品の固定構造では、例えば、前記被固定部には、当該被固定部を前記第一方向に貫通した第一開口部が設けられ、前記固定部は、前記第一方向に突出し前記第一開口部が重ねられた筒部と、前記第一開口部および前記筒部内に入れられ、前記第一部材を前記筒部に固定した固定具と、を有し、前記筒部と前記第一開口部との少なくとも一方は、前記押さえ部を通り前記交差方向と直交する仮想平面に関して対称に二つ設けられている。
【０００９】
このような構成によれば、例えば、第一部材の２つの姿勢を選択的に設定することができる。
【００１０】
また、前記電子部品の固定構造では、例えば、前記筒部と前記第一開口部とは、それぞれ、前記仮想平面に関して対称に二つ設けられている。
【００１１】
このような構成によれば、例えば、前記筒部と前記第一開口部とが、それぞれ、一つずつしか設けられていない構成に比べて、第一部材を筐体により強固に固定することができる。
【００１２】
また、前記電子部品の固定構造は、例えば、前記面に設けられ、前記第一方向に突出した第一突起と、前記押さえ部に固定されて前記電子部品と接触したシートと、を備え、前記押さえ部には、それぞれが前記第一方向に前記押さえ部を貫通し、互いに前記交差方向に離間した二つの第二開口部が設けられ、二つの前記第二開口部のうち一つには、前記第一突起が入れられ、二つの前記第二開口部のうち他の一つは、前記シートによって覆われている。
【００１３】
このような構成によれば、例えば、第一部材の姿勢を間違えた状態で、当該第一部材を組み付けようとした場合には、第一突起とシートとが干渉して、第一部材を組み付けることができない。すなわち、第一部材の誤組を抑制することができる。
【００１４】
また、前記電子部品の固定構造では、例えば、前記押さえ部は、当該押さえ部の厚さ方向に互いに離間した一対の面を有し、前記シートは、当該シートの厚さ方向に互いに離間した一対の面を有し、当該一対の面のうち一方は接着面であり、前記シートは、前記押さえ部の前記一対の面のうち一方に前記接着面が接着した場合には、二つの前記第二開口部のうちの一方を塞ぎ、前記押さえ部の前記一対の面のうち他方に前記接着面が接着した場合には、二つの前記第二開口部のうちの他方を塞ぐように構成されている。
【００１５】
このような構成によれば、例えば、少なくとも、シートの接着面以外の部分と、別のシートの接着面以外の部分との共通化がしやすい。これにより、例えば、シートの基材と別のシートの基材を作成する金型を共通化することができる。
【００１６】
また、前記電子部品の固定構造では、例えば、前記押さえ部には、当該押さえ部を前記第一方向に貫通し当該押さえ部の前記交差方向の中心から離れた第三開口部が設けられ、前記シートには、当該シートを前記第一方向に貫通し前記第三開口部と重ねられた第四開口部が設けられている。
【００１７】
このような構成によれば、例えば、第一部材にシートを貼り付ける際に、シートの表裏を間違えて貼り付けようとした場合には、第三開口部がシートによって覆われる（隠れる）ため、作業員が間違えに気づきやすい。すなわち、第一部材に対するシートの誤組を抑制することができる。
【００１８】
また、前記電子部品の固定構造では、例えば、前記シートは、色を有している。
【００１９】
このような構成によれば、例えば、第一部材にシートを貼り付ける際に、シートの表裏を間違えて貼り付けようとした場合に、第三開口部がシートによって覆われたことを、作業員が気づきやすい。
【００２０】
また、前記電子部品の固定構造は、例えば、前記面に設けられ、前記第一方向に突出し、前記仮想平面に関して対称に設けられた二つの第二突起を備え、前記被固定部には、それぞれが当該被固定部を前記第一方向に貫通し、前記仮想平面に関して対称に設けられ二つの前記第二突起に入れられた二つの第五開口部が設けられている。
【００２１】
このような構成によれば、例えば、筐体への第一部材の取付けの際に、第一部材の位置決めがしやすい。よって、筐体への第一部材の取付性が向上する。
【００２２】
また、本発明の第二態様にかかる電子機器は、前記電子部品の固定構造と、前記筐体と、前記電子部品と、を備えている。
【００２３】
このような構成によれば、例えば、上記の電子部品の固定構造が奏する効果と同様の効果を奏することができる。
【発明の効果】
【００２４】
本発明の上記態様によれば、他の電子部品の固定構造と部材等の共通化がしやすい新規な構成の電子部品の固定構造および電子機器を得ることができる。
【図面の簡単な説明】
【００２５】
【図１】図１は、実施形態の二つの電子機器の正面側からの例示的な斜視図である。
【図２】図２は、実施形態の電子機器の正面側からの例示的な分解斜視図である。
【図３】図３は、実施形態の電子機器（第一電子機器）におけるフロントユニットの例示的な背面図である。
【図４】図４は、実施形態の電子機器（第一電子機器）におけるフロントユニットの背面側からの例示的な分解斜視図である。
【図５】図５は、図３のV-V断面図である。
【図６】図６は、実施形態の第一電子機器における電子部品の背面側からの例示的な斜視図である。
【図７】図７は、実施形態の第一電子機器における電子部品の正面側からの例示的な斜視図である。
【図８】図８は、実施形態の第一電子機器におけるフロントカバーの一部の背面側からの例示的な斜視図である。
【図９】図９は、実施形態の第一電子機器における固定部品の背面側からの例示的な斜視図である。
【図１０】図１０は、実施形態の第一電子機器における固定部品の正面側からの例示的な斜視図である。
【図１１】図１１は、実施形態の第一電子機器における固定部品の例示的な側面図である。
【図１２】図１２は、実施形態の第一電子機器における第一部材の背面側からの例示的な斜視図である。
【図１３】図１３は、実施形態の第一電子機器におけるシートの背面側からの例示的な斜視図である。
【図１４】図１４は、実施形態の第二電子機器におけるフロントユニットの例示的な背面図である。
【図１５】図１５は、図１４のXV-XV断面図である。
【図１６】図１６は、実施形態の第二電子機器における電子部品の背面側からの例示的な斜視図である。
【図１７】図１７は、実施形態の第二電子機器における電子部品の正面側からの例示的な斜視図である。
【図１８】図１８は、実施形態の第二電子機器における固定部品の背面側からの例示的な斜視図である。
【図１９】図１９は、実施形態の第二電子機器における固定部品の正面側からの例示的な斜視図である。
【図２０】図２０は、実施形態の第二電子機器における固定部品の例示的な側面図である。
【図２１】図２１は、実施形態の第二電子機器における第一部材の背面側からの例示的な斜視図である。
【図２２】図２２は、実施形態の第二電子機器におけるシートの背面側からの例示的な斜視図である。
【発明を実施するための形態】
【００２６】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００２７】
なお、本明細書では、序数は、部品や、部材、部位、位置、方向等を区別するためだけに用いられており、順番や優先度を示すものではない。
【００２８】
図１は、実施形態の二つの電子機器１の正面側からの斜視図である。二つの電子機器１は、それぞれ、例えば、タブレット型のパーソナルコンピュータとして構成されている。二つの電子機器１は、筐体２に収容された一部の部品を除いて互いに同様に構成されている。以後、二つの電子機器１を区別する場合には、二つの電子機器１を第一電子機器１Ａおよび第二電子機器１Ｂとも称する。なお、電子機器１は、上記例には限定されず、例えば、デスクトップ型のパーソナルコンピュータや、クラムシェル型（ノートブック型）のパーソナルコンピュータ、映像表示装置、テレビジョン受像機、ゲーム機、映像表示制御装置、情報記憶装置等であってもよい。
【００２９】
本実施形態では、便宜上、互いに直交する三方向が定義されている。Ｘ方向は、電子機器１の厚さ方向（前後方向）に沿い、Ｙ方向は、電子機器１の短手方向（横幅方向）に沿い、Ｚ方向は、電子機器１の長手方向（縦幅方向）に沿う。また、以下の説明では、Ｘ方向は前方、Ｘ方向の反対方向は後方とも称され、Ｙ方向は左方、Ｙ方向の反対方向は右方とも称され、Ｚ方向は上方、Ｚ方向の反対方向は下方とも称される。
【００３０】
図２は、実施形態の電子機器１の正面側からの例示的な分解斜視図である。図１および図２に示されるように、電子機器１は、筐体２を備えている。筐体２には、ディスプレイユニット３や回路基板４（図２）、電子部品２１（図４）等の部品が収容されている。
【００３１】
筐体２の形状は、扁平な略直方体の箱形である。筐体２は、ディスプレイユニット３の表示画面３ａが露出する前壁１１と、前壁１１とは反対側に位置された後壁１２と、前壁１１と後壁１２とに亘った複数の側壁１３〜１６と、を有している。
【００３２】
前壁１１は、矩形枠状に形成されている。前壁１１の前面１１ａおよび表示画面３ａは、透明部材１７によって覆われている。前壁１１の前面１１ａは、筐体２の前面を構成する。
【００３３】
後壁１２は、前壁１１とＸ方向に間隔をあけて設けられて、Ｘ方向と直交する方向（ＹＺ平面）に沿って延びている。後壁１２の形状は、正面視で四角形、具体的には正面視で長方形である。
【００３４】
側壁１３，１５は、いずれも、Ｙ方向と直交する方向（ＸＺ平面）に沿って延びており、Ｙ方向に間隔をあけて互いに略平行に設けられている。側壁１４，１６は、いずれも、Ｚ方向と直交する方向（ＸＹ平面）に沿って延びており、Ｚ方向に間隔をあけて互いに略平行に設けられている。
【００３５】
筐体２は、フロントカバー１８とリヤカバー１９とを含む複数の部材の組み合わせによって構成されている。フロントカバー１８は、前壁１１と、側壁１３〜１６のそれぞれの一部と、を含む。リヤカバー１９は、後壁１２と、側壁１３〜１６のそれぞれの一部と、を含む。フロントカバー１８とリヤカバー１９は、爪やネジ等によって互いに結合されている。フロントカバー１８は、ディスプレイユニット３等とともにフロントユニットを構成し、リヤカバー１９は、回路基板４等とともにリヤユニットを構成している。
【００３６】
図３は、実施形態の電子機器１（第一電子機器１Ａ）におけるフロントユニットの例示的な背面図である。図４は、実施形態の電子機器１（第一電子機器１Ａ）におけるフロントユニットの背面側からの例示的な分解斜視図である。図５は、図３のV-V断面図である。
【００３７】
図３〜図５に示されるように、フロントカバー１８の前壁１１には、電子部品２１が固定構造３０によって固定されている。第一電子機器１Ａと第二電子機器１Ｂとで、互いに異なる部品は、電子部品２１および固定構造３０に含まれる固定部品３２である。固定構造３０は、電子部品の固定構造の一例である。固定構造３０は、電子部品固定構造や固定組立体や固定装置とも称される。
【００３８】
第一電子機器１Ａの、電子部品２１、固定構造３０、および固定部品３２を、電子部品２１Ａ、固定構造３０Ａおよび固定部品３２Ａとも称し、第二電子機器１Ｂの、電子部品２１、固定構造３０、および固定部品３２を、電子部品２１Ｂ、固定構造３０Ｂおよび固定部品３２Ｂ（図１４，１５等）とも称する。
【００３９】
以下に、第一電子機器１Ａの電子部品２１および固定構造３０と、第二電子機器１Ｂの電子部品２１および固定構造３０と、について詳細に説明する。以下の説明では、第一方向Ｄ１および交差方向Ｄ２が用いられる。第一方向Ｄ１は、前壁１１の内面１１ｂと交差（直交）する方向であり、Ｘ方向の反対方向である。交差方向Ｄ２は、第一方向Ｄ１と交差（直交）する方向であり、筐体２の短手方向（横幅方向、左右方向）と同じ方向である。内面１１ｂは、面の一例である。
【００４０】
図６は、実施形態の第一電子機器１Ａにおける電子部品２１Ａの背面側からの例示的な斜視図である。図７は、実施形態の第一電子機器１Ａにおける電子部品２１Ａの正面側からの例示的な斜視図である。
【００４１】
図６および図７に示される電子部品２１Ａは、例えば、人体の静脈を検出する静脈認証用のセンサモジュールである。なお、電子部品２１Ａは、静脈認証用のセンサモジュールに限定されない。例えば、電子部品２１Ａは、メモリや無線通信モジュール等であってもよい。
【００４２】
電子部品２１は、筐体２２と、検出回路部２３と、を有している。筐体２２は、矩形筒状に形成されている。図６に示されるように、筐体２２の下端部、すなわち第一方向Ｄ１の端部２２ｂは、平坦な複数の端面２２ｂａ，２２ｂｂ，２２ｂｃ，２２ｂｄを含む。端部２２ｂは、電子部品２１Ａの第一方向Ｄ１の端部を構成している。端面２２ｂａと端面２２ｂｂとは、Ｚ方向に間隔をあけて互いに略平行に設けられている。端面２２ｂａ，２２ｂｂは、それぞれ、第一方向Ｄ１を向くとともに、交差方向Ｄ２に延びている。端面２２ｂｂは、凹部によって二つに分割されている。端面２２ｂｃと端面２２ｂｄとは、交差方向Ｄ２（Ｙ方向）に間隔をあけて互いに略平行に設けられている。端面２２ｂｃ，２２ｂｄは、それぞれ、第一方向Ｄ１を向くとともに、Ｚ方向に延びている。端面２２ｂａ，２２ｂｂは、接触部や接触面とも称される。
【００４３】
また、図７に示されるように、筐体２２の上端部、すなわち第一方向Ｄ１の反対方向の端部は、端面２２ａを含む。端面２２ａは、矩形枠状に形成され、第一方向Ｄ１の反対方向を向いている。端面２２ａは、接触部や接触面とも称される。
【００４４】
検出回路部２３は、筐体２２に収容されている。検出回路部２３の上端部、すなわち第一方向Ｄ１の反対方向の端部には、平坦な端面２３ａが設けられている。検出回路部２３における端面２３ａを含む一部は、筐体２２から第一方向Ｄ１方向の反対方向に突出している。端面２３ａは、第一方向Ｄ１の反対方向を向いている。端面２３ａは、電子部品２１Ａの第一方向Ｄ１の反対方向の端部を構成している。端面２３ａは、前壁１１に設けられた貫通孔１１ｃ（図１）から筐体２２の外部に露出している。検出回路部２３は、端面２３ａにかざされる人体の静脈を検出可能である。検出回路部２３は、ケーブル２４を介して回路基板４と接続されている。
【００４５】
図３〜図５に示されるように、固定構造３０Ａは、筐体側部分３１と、固定部品３２と、ネジ３５と、を備えている。
【００４６】
図８は、実施形態の第一電子機器１Ａにおけるフロントカバー１８の一部の背面側からの例示的な斜視図である。図８に示されるように、筐体側部分３１は、二つの接触部３１ａと、二つの筒部３１ｂと、第一突起３１ｃと、二つの第二突起３１ｄと、有している。
【００４７】
各接触部３１ａは、前壁１１の内面１１ｂにおける貫通孔１１ｃの周囲に設けられている。二つの接触部３１ａは、Ｚ方向に間隔をあけて互いに平行に設けられている。各接触部３１ａは、交差方向Ｄ２に延びるとともに、第一方向Ｄ１を向いている。図５に示されるように、接触部３１ａには、電子部品２１Ａの筐体２２における端面２２ａが重ねられている。すなわち、接触部３１ａは、端面２２ａと接触している。なお、図５には、一方の接触部３１ａが示され他方の接触部３１ａが示されていないが、当該他方の接触部３１ａも端面２２ａと接触している。
【００４８】
図８に示されるように、各筒部３１ｂは、内面１１ｂにおける貫通孔１１ｃの周囲に設けられ、内面１１ｂから第一方向Ｄ１に突出している。二つの筒部３１ｂは、互いに間隔をあけて交差方向Ｄ２に並べられており、二つの筒部３１ｂの間に貫通孔１１ｃが設けられている。具体的には、二つの筒部３１ｂは、交差方向Ｄ２と直交する所定の仮想平面Ｐ１に関して対称に設けられている。
【００４９】
筒部３１ｂの内周面には、雌ネジ部３１ｂａが形成されている。筒部３１ｂは、ボスとも称される。
【００５０】
図８に示されるように、第一突起３１ｃは、内面１１ｂにおける貫通孔１１ｃの周囲に設けられ、内面１１ｂから第一方向Ｄ１に突出している。第一突起３１ｃは、二つの接触部３１ａおよび貫通孔１１ｃのＺ方向に位置されている。また、図３に示されるように、第一突起３１ｃは、交差方向Ｄ２において仮想平面Ｐ１と離れて位置されている。すなわち、第一突起３１ｃは、交差方向Ｄ２において二つの筒部３１ｂのうち一方に寄せられている。第一突起３１ｃは、円筒状に形成されている。
【００５１】
図８に示されるように、二つの第二突起３１ｄは、内面１１ｂにおける貫通孔１１ｃの周囲に設けられ、内面１１ｂから第一方向Ｄ１に突出している。二つの第二突起３１ｄは、互いに間隔をあけて交差方向Ｄ２に並べられており、二つの第二突起３１ｄの間に貫通孔１１ｃが設けられている。具体的には、二つの第二突起３１ｄは、仮想平面Ｐ１に関して対称に設けられている。また、二つの第二突起３１ｄは、それぞれ、二つの筒部３１ｂとＺ方向に並べられている。
【００５２】
図９は、実施形態の第一電子機器１Ａにおける固定部品３２Ａの背面側からの例示的な斜視図である。図１０は、実施形態の第一電子機器１Ａにおける固定部品３２Ａの正面側からの例示的な斜視図である。図１１は、実施形態の第一電子機器１Ａにおける固定部品３２Ａの例示的な側面図である。
【００５３】
図９〜図１１に示されるように、固定部品３２Ａは、第一部材３３と、第一部材３３に固定された絶縁性のシート３４Ａと、を有している。
【００５４】
図１２は、実施形態の第一電子機器１Ａにおける第一部材３３の背面側からの例示的な斜視図である。図１２に示されるように、第一部材３３は、板状に形成されている。第一部材３３は、鋼板（金属材料）によって構成されている。なお、第一部材３３は、合成樹脂材料等によって構成されてもよい。
【００５５】
第一部材３３は、押さえ部３３ａと、複数の接続部３３ｂと、二つの被固定部３３ｃと、を有している。
【００５６】
押さえ部３３ａは、平坦な板状に形成されている。押さえ部３３ａの厚さ方向は、第一方向Ｄ１に沿っている。換言すると、第一方向Ｄ１は、押さえ部３３ａの厚さ方向に沿っている。ここで、上述の仮想平面Ｐ１は、例えば、押さえ部３３ａの交差方向Ｄ２の中心を通り交差方向Ｄ２と直交する面である。図５に示されるように、上記構成の押さえ部３３ａは、前壁１１の接触部３１ａの第一方向Ｄ１に位置され、接触部３１ａとによって電子部品２１Ａを挟んでいる。押さえ部３３ａは、挟み部とも称される。
【００５７】
押さえ部３３ａは、当該押さえ部３３ａの厚さ方向に互いに離間した一対の面３３ｍ，３３ｎを有している。面３３ｍには、固定部品３２の識別のための識別情報３３ｇａが形成されている、識別情報３３ｇａは、例えば「Ｌ」である。また、面３３ｎには、識別情報３３ｇｂ（図２１）が形成されている。識別情報３３ｇｂは、例えば「Ｓ」である。識別情報３３ｇａ，３３ｇｂは、例えば刻印されたものである。固定部品３２Ａは、面３３ｍ（識別情報３３ｇａ）が第一方向Ｄ１を向く姿勢で前壁１１に固定されている。面３３ｎは、電子部品２１の端部２２ｂにおける端面２２ｂａ，２２ｂｂを第一方向Ｄ１側から押さえている。また、面３３ｍは、電子部品２１の端面２２ｂｃ，２２ｂｄと離間している。
【００５８】
また、押さえ部３３ａには、切欠３３ｄと、二つの第二開口部３３ｅと、第三開口部３３ｆと、が設けられている。切欠３３ｄは、押さえ部３３ａのＺ方向の端部に設けられている。
【００５９】
二つの第二開口部３３ｅは、それぞれが、貫通孔であり、第一方向Ｄ１に押さえ部３３ａを貫通している。二つの第二開口部３３ｅは、互いに交差方向Ｄ２に離間している。二つの第二開口部３３ｅの間に切欠３３ｄが設けられている。二つの第二開口部３３ｅは、仮想平面Ｐ１に関して対称に設けられている。図３に示されるように、二つの第二開口部３３ｅのうち一つ（Ｙ方向側の第二開口部３３ｅ）には、第一突起３１ｃが入れられている。また、図９に示されるように、二つの前記第二開口部３３ｅのうち他の一つ（Ｙ方向の反対方向側の第二開口部３３ｅ）は、シート３４によって覆われている。なお、第二開口部３３ｅは、切欠であってもよい。
【００６０】
図１２に示されるように、第三開口部３３ｆは、貫通孔であり、押さえ部３３ａを第一方向Ｄ１に貫通している。第三開口部３３ｆは、押さえ部３３ａの交差方向Ｄ２の中心から離れて設けられている。第三開口部３３ｆは、一つである。なお、第三開口部３３ｆは、切欠であってもよい。
【００６１】
図９，図１０、および図１２に示されるように、押さえ部３３ａの交差方向Ｄ２の両端部に、接続部３３ｂが二つずつ設けられている。押さえ部３３ａの交差方向Ｄ２の一端部の接続部３３ｂと、押さえ部３３ａの交差方向Ｄ２の他端部の接続部３３ｂとは、押さえ部３３ａから互いに離れるように延びている。各接続部３３ｂは、押さえ部３３ａから交差方向Ｄ２に離れるにつれて面３３ｍから面３３ｎに向かう方向（図１２の例では、Ｘ方向）に位置するように設けられている。
【００６２】
図１２に示されるように、二つの被固定部３３ｃは、押さえ部３３ａの交差方向Ｄ２の両端部に、接続部３３ｂを介して接続されている。各被固定部３３ｃは、平坦な板状に形成されている。二つの被固定部３３ｃは、仮想平面Ｐ１に関して対称に設けられている。各被固定部３３ｃは、第一方向Ｄ１の位置が押さえ部３３ａと異なるとともに、交差方向Ｄ２に接続部３３ｂから交差方向Ｄ２に延びている。すなわち、各被固定部３３ｃ交差方向Ｄ２の位置も押さえ部３３ａと異なる。
【００６３】
各被固定部３３ｃには、第一開口部３３ｈと第五開口部３３ｉとが一つずつ設けられている。すなわち、第一部材３３には、二つの第一開口部３３ｈと二つの第五開口部３３ｉが設けられている。二つの第一開口部３３ｈおよび二つの第五開口部３３ｉは、それぞれ、仮想平面Ｐ１に関して対称に設けられている。
【００６４】
各第一開口部３３ｈは、貫通孔であり、被固定部３３ｃを、被固定部３３ｃの厚さ方向すなわち第一方向Ｄ１、に貫通している。図５に示されるように、二つの第一開口部３３ｈは、それぞれ、二つの筒部３１ｂと重ねられている。なお、第一開口部３３ｈは、切欠であってもよい。
【００６５】
各第五開口部３３ｉは、貫通孔であり、被固定部３３ｃを、被固定部３３ｃの厚さ方向すなわち第一方向Ｄ１、に貫通している。図３に示されるように、二つの第五開口部３３ｉには、それぞれ、二つの第二突起３１ｄが入れられている。なお、第五開口部３３ｉは、切欠であってもよい。
【００６６】
また、第一部材３３には、二つの開口部３３ｊが設けられている。二つの開口部３３ｊは、押さえ部３３ａの交差方向Ｄ２の端部と被固定部３３ｃとに亘って設けられている。
【００６７】
図１３は、実施形態の第一電子機器１Ａにおけるシート３４Ａの背面側からの例示的な斜視図である。シート３４Ａは、当該シート３４Ａの厚さ方向に離間した一対の面３４ｍ，３４ｎを有している。一対の面３４ｍ，３４ｎのうち一方、具体的には面３４ｍは、接着面であり、一対の面３４ｍ，３４ｎのうち他方、具体的には面３４ｎは、非接着面である。面３４ｍは、接着層によって構成されている。接着面である面３４ｍが押さえ部３３ａの一対の面３３ｍ，３３ｎの一方、具体的には面３３ｎに接着している。これにより、シート３４Ａが押さえ部３３ａの面３３ｎに固定されている。シート３４Ａは、ポリエチレンテレフタレート等の合成樹材料によって構成された基材の一面に接着材が塗布された構成である。また、シート３４Ａは、着色されている。すなわち、シート３４Ａは、色を有している。シート３４Ａの色は、黒や白、赤等の種々の色から適宜設定されうる。
【００６８】
また、シート３４Ａは、第一部分３４ａと、第二部分３４ｂと、を有している。第一部分３４ａは、略矩形状に形成されている。第二部分３４ｂは、第一部分３４ａのＺ方向の端部からＺ方向に突出している。第二部分３４ｂは、第一部分３４ａのＺ方向の端部における交差方向Ｄ２の中心から、交差方向Ｄ２に離れて設けられている。第二部分３４ｂが、二つの第二開口部３３ｅのうち他の一つ（Ｙ方向の反対方向側の第二開口部３３ｅ）を覆っている（図９，図１０）。なお、シート３４Ａは、押さえ部３３ａと電子部品２１Ａとの間に介在していてもよいし、介在していなくてもよい。
【００６９】
また、図１３に示されるように、第一部分３４ａには、第四開口部３４ｃが設けられている。第四開口部３４ｃは、第一部分３４ａを第一方向Ｄ１に貫通している、第四開口部３４ｃは、第一部分３４ａの交差方向Ｄ２の中心から離れて設けられている。第四開口部３４ｃは、切欠である。図１０に示されるように、第四開口部３４ｃは、第三開口部３３ｆと重ねられている。
【００７０】
図５に示されるように、固定部品３２Ａ（第一部材３３）は、二つのネジ３５によって二つの筒部３１ｂに固定されている。固定部品３２Ａ（第一部材３３）は、面３３ｍ（識別情報３３ｇａ）が第一方向Ｄ１を向き、押さえ部３３ａが被固定部３３ｃよりも第一方向Ｄ１に位置された第一姿勢で、筒部３１ｂに固定されている。ネジ３５は、頭部３５ａと頭部３５ａから延びた軸部３５ｂとを有し、軸部３５ｂの外周面には雄ネジ部が形成されている。軸部３５ｂが被固定部３３ｃの第一開口部３３ｈと筒部３１ｂ内とに入れられた状態で、軸部３５ｂの雄ネジ部が筒部３１ｂの雌ネジ部３１ｂａと結合している。そして、頭部３５ａと筒部３１ｂの先端面とに被固定部３３ｃが挟まれている。これにより、被固定部３３ｃが筒部３１ｂに固定されている。二つのネジ３５と二つの筒部３１ｂとは、固定部３６を構成している。ネジ３５は、固定具の一例である。なお、固定具は、ネジ３５以外であってもよい。
【００７１】
図１４は、実施形態の第二電子機器１Ｂにおけるフロントユニットの例示的な背面図である。図１５は、図１４のXV-XV断面図である。図１４および図１５に示されるように、第二電子機器１Ｂは、第一電子機器１Ａと同様に、フロントカバー１８の前壁１１に、電子部品２１Ｂが固定構造３０Ｂによって固定されている。以下、電子部品２１Ｂおよび固定構造３０Ｂについて、電子部品２１Ａおよび固定構造３０Ａと異なる点を主に説明する。
【００７２】
図１６は、実施形態の第二電子機器１Ｂにおける電子部品２１Ｂの背面側からの例示的な斜視図である。図１７は、実施形態の第二電子機器１Ｂにおける電子部品２１Ｂの正面側からの例示的な斜視図である。図１６および図１７に示される電子部品２１Ｂは、電子部品２１Ａと第一方向Ｄ１の厚さ（高さ）が異なる。電子部品２１の第一方向Ｄ１の厚さは、端面２２ｂａ，２２ｂｂ，２２ｂｃ，２２ｂｄと端面２３ａとの第一方向Ｄ１の間隔とも言える。電子部品２１Ｂの第一方向Ｄ１の厚さは、電子部品２１Ａの第一方向Ｄ１の厚さよりも小さい。電子部品２１Ｂの他の寸法は、電子部品２１Ａの他の寸法と同様である。
【００７３】
図１４および図１５に示されるように、固定構造３０Ｂは、固定構造３０Ａと同様に、筐体側部分３１と、固定部品３２Ｂと、ネジ３５と、を備えている。固定構造３０Ｂの筐体側部分３１は、固定構造３０Ａの筐体側部分３１と同じである。また、固定構造３０Ｂにおいても、固定構造３０Ａと同様に、二つのネジ３５と二つの筒部３１ｂとは、固定部３６を構成している。
【００７４】
図１８は、実施形態の第二電子機器１Ｂにおける固定部品３２Ｂの背面側からの例示的な斜視図である。図１９は、実施形態の第二電子機器１Ｂにおける固定部品３２Ｂの正面側からの例示的な斜視図である。図２０は、実施形態の第二電子機器１Ｂにおける固定部品３２Ｂの例示的な側面図である。
【００７５】
図１８〜図２２に示されるように、固定部品３２Ｂは、固定部品３２Ａと同様に、第一部材３３と、第一部材３３に固定された絶縁性のシート３４Ｂと、を有している。なお、シート３４Ａとシート３４Ｂとを区別せずに説明する場合には、シート３４を用いる場合がある。固定部品３２Ｂは、面３３ｎ（識別情報３３ｇｂ）が第一方向Ｄ１を向く姿勢で前壁１１に固定されている。
【００７６】
図２１は、実施形態の第二電子機器１Ｂにおける第一部材３３の背面側からの例示的な斜視図である。図２１に示されるように、第二電子機器１Ｂの第一部材３３の形状は、第一電子機器１Ａの第一部材３３の形状と同じである。すなわち、第二電子機器１Ｂの第一部材３３と、第一電子機器１Ａの第一部材３３とは、同一部材である。ただし、図２０，２１に示されるように、第二電子機器１Ｂの第一部材３３（固定部品２３Ｂ）は、面３３ｎ（識別情報３３ｇｂ）が第一方向Ｄ１を向き、押さえ部３３ａが被固定部３３ｃよりも第一方向Ｄ１の反対方向（Ｘ方向）に位置された第二姿勢で、筒部３１ｂに固定されている。すなわち、第二電子機器１Ｂの第一部材３３は、第一電子機器１Ａの第一部材３３と逆向きの姿勢で筒部３１ｂに固定されている。これにより、第二電子機器１Ｂでは、第一部材３３の面３３ｎが、電子部品２１の端部２２ｂにおける端面２２ｂａ，２２ｂｂを第一方向Ｄ１側から押さえている（図１５）。なお、図１５では、端面２２ｂｂは図示さていない。固定部品３２Ｂの第一部材３３は、固定部品３２Ａの第一部材３３をＺ方向に沿う軸（不図示）回りに１８０度回転させたものと同じである。また、図１４に示されるように、二つの第二開口部３３ｅのうち一つ（Ｙ方向側の第二開口部３３ｅ）には、第一突起３１ｃが入れられている。また、図９に示されるように、二つの前記第二開口部３３ｅのうち他の一つ（Ｙ方向の反対方向側の第二開口部３３ｅ）は、シート３４によって覆われている。
【００７７】
図２２は、実施形態の第二電子機器１Ｂにおけるシート３４Ｂの背面側からの例示的な斜視図である。図１９および図２２に示されるシート３４Ｂの形状は、仮想平面Ｐ１に関してシート３４Ａの形状と対称である。また、シート３４Ｂは、接着面と非接着面との関係がシート３４Ａと逆である。シート３４Ｂでは、面３４ｎが接着面であり、面３４ｍが非接着面である。そして、接着面である面３４ｎが押さえ部３３ａの一対の面３３ｍ，３３ｎの一方、具体的には面３３ｍに接着している。これにより、シート３４Ａが押さえ部３３ａの面３３ｍに固定されている。すなわち、シート３４Ｂは、シート３４Ａとは逆向きの姿勢で押さえ部３３ａに固定されている。シート３４Ｂの第二部分３４ｂは、二つの第二開口部３３ｅのうち他の一つ（Ｙ方向の反対方向側の第二開口部３３ｅ）を覆っている（図１８，図１９）。また、シート３４Ｂの色は、シート３４Ａと異なっていてもよいし、同じであってもよい。なお、上記以外のシート３４Ｂの形状は、シート３４Ａと同じである。
【００７８】
次に、電子部品２１の厚さと第一部材３３の形状との関係について、図１１および図２０を参照して説明する。電子部品２１Ａの第一方向Ｄ１の厚さと電子部品２１Ｂの第一方向Ｄ１の厚さとの差分をＴとする。この場合、第一部材３３において、押さえ部３３ａの面３３ｎと、被固定部３３ｃにおける面３３ｎと同じ側の面３３ｃａとの第一方向Ｄ１の間隔Ｅは、Ｔ／２（Ｔの半分）に設定されている。
【００７９】
上記構成では、接触部３１ａ（図５，図１５）と筒部３１ｂ（図５，図１５）の第一方向Ｄ１の先端面との間の第一方向Ｄ１の距離は、電子部品２１Ａの第一方向Ｄ１の厚さと電子部品２１Ｂの第一方向Ｄ１の厚さとの平均値に設定されている。
【００８０】
以上のように、本実施形態では、固定構造３０は、前壁１１と、接触部３１ａと、第一部材３３と、固定部３６と、を備えている。前壁１１は、内面１１ｂ（面）を有し筐体２に設けられている。接触部３１ａは、内面１１ｂに設けられ、電子部品２１と接触している。第一部材３３は、接触部３１ａに対して第一方向Ｄ１に位置され接触部３１ａとによって電子部品２１を挟んだ板状の押さえ部３３ａと、押さえ部３３ａと接続され、第一方向Ｄ１の位置および交差方向Ｄ２の位置が押さえ部３３ａと異なる板状の被固定部３３ｃと、を有している。固定部３６は、被固定部３３ｃを前壁１１に固定している。
【００８１】
このような構成によれば、例えば、第一部材３３Ａと同形状の別の第一部材３３Ｂを第一部材３３と逆の姿勢で用いることにより、電子部品２１Ａと第一方向Ｄ１の厚さが異なるとともに当該別の第一部材３３Ｂによって押さえることが可能な別の電子部品２１Ｂを、当該別の第一部材３３Ｂによって固定することができる。よって、他の固定構造３０（固定構造３０Ａまたは固定構造３０Ｂ）と部材等の共通化がしやすい新規な構成の固定構造３０（固定構造３０Ｂまたは固定構造３０Ａ）を得ることができる。
【００８２】
また、本実施形態では、例えば、被固定部３３ｃには、当該被固定部３３ｃを第一方向Ｄ１に貫通した第一開口部３３ｈが設けられている。固定部３６は、第一方向Ｄ１に突出し第一開口部３３ｈが重ねられた筒部３１ｂと、第一開口部３３ｈおよび筒部３１ｂ内に入れられ、第一部材３３を筒部３１ｂに固定したネジ３５（固定具）と、を有している。筒部３１ｂと第一開口部３３ｈとの少なくとも一方は、押さえ部３３ａを通り交差方向Ｄ２と直交する仮想平面Ｐ１に関して対称に二つ設けられている。
【００８３】
このような構成によれば、例えば、第一部材３３の２つの姿勢を選択的に設定することができる。
【００８４】
また、固定構造３０では、例えば、筒部３１ｂと第一開口部３３ｈとは、それぞれ、仮想平面Ｐ１（平面）に関して対称に二つ設けられている。
【００８５】
このような構成によれば、例えば、筒部３１ｂと第一開口部３３ｈとが、それぞれ、一つずつしか設けられていない構成に比べて、第一部材３３を筐体２により強固に固定することができる。
【００８６】
また、本実施形態では、例えば、固定構造３０は、固定構造３０内面１１ｂに設けられ、第一方向Ｄ１に突出した第一突起３１ｃと、押さえ部３３ａに固定されて電子部品２１と接触したシート３４と、を備えている。押さえ部３３ａには、それぞれが第一方向Ｄ１に押さえ部３３ａを貫通し、互いに交差方向Ｄ２に離間した二つの第二開口部３３ｅが設けられている。二つの第二開口部３３ｅのうち一つには、第一突起３１ｃが入れられ、二つの第二開口部３３ｅのうち他の一つは、シート３４によって覆われている。
【００８７】
このような構成によれば、例えば、第一部材３３の姿勢を間違えた状態で、第一部材３３を組み付けようとした場合には、第一突起３１ｃとシート３４とが干渉して、第一部材３３を組み付けることができない。すなわち、第一部材３３の誤組を抑制することができる。よって、例えば、電子部品２１Ａ，２１Ｂに誤組防止の突起等の構成を設ける必要がない。すなわち、電子部品２１Ａ，２１Ｂにおいて、厚さ（外形寸法）以外の部分を共通化することができる。
【００８８】
また、本実施形態では、例えば、押さえ部３３ａは、押さえ部３３ａの厚さ方向に互いに離間した一対の面３３ｍ，３３ｎを有している、シート３４は、シート３４の厚さ方向に互いに離間した一対の面３４ｍ，３４ｎを有し、一対の面３４ｍ，３４ｎのうち一方は接着面である。シート３４は、押さえ部３３ａの一対の面３３ｍ，３３ｎのうち一方に記接着面（面３４ｍまたは面３４ｎ）が接着した場合には、二つの第二開口部３３ｅのうちの一方を塞ぎ、押さえ部３３ａの一対の面３３ｍ，３３ｎのうち他方に接着面（面３４ｍまたは面３４ｎ）が接着した場合には、二つの第二開口部３３ｅのうちの他方を塞ぐように構成されている。
【００８９】
このような構成によれば、少なくとも、シート３４Ａの接着面以外の部分と、別のシート３４Ｂの接着面以外の部分との共通化がしやすい。これにより、例えば、シート３４Ａの基材とシート３４Ｂの基材を作成する金型を共通化することができる。
【００９０】
また、本実施形態では、例えば、押さえ部３３ａには、押さえ部３３ａを第一方向Ｄ１に貫通し押さえ部３３ａの交差方向Ｄ２の中心から離れた第三開口部３３ｆが設けられている。シート３４には、シート３４を第一方向Ｄ１に貫通し第三開口部３３ｆと重ねられた第四開口部３４ｃが設けられている。
【００９１】
このような構成によれば、例えば、第一部材３３にシート３４を貼り付ける際に、シート３４の表裏を間違えて貼り付けようとした場合には、第三開口部３３ｆがシート３４によって覆われる（隠れる）ため、作業員が間違えに気づきやすい。すなわち、第一部材３３に対するシート３４の誤組を抑制することができる。
【００９２】
また、本実施形態では、例えば、前記シート３４は、色を有している。
【００９３】
このような構成によれば、例えば、第一部材３３にシート３４を貼り付ける際に、シート３４の表裏を間違えて貼り付けようとした場合に、第三開口部３３ｆがシート３４によって覆われたことを、作業員が気づきやすい。
【００９４】
また、本実施形態では、例えば、固定構造３０は、内面１１ｂに設けられ、第一方向Ｄ１に突出し、仮想平面Ｐ１に関して対称に設けられた二つの第二突起３１ｄを備えている。被固定部３３ｃには、それぞれが被固定部３３ｃを第一方向Ｄ１に貫通し、仮想平面Ｐ１に関して対称に設けられ二つの第二突起３１ｄに入れられた二つの第四開口部３４ｃが設けられている。
【００９５】
このような構成によれば、例えば、筐体２への第一部材３３の取付けの際に、第一部材３３の位置決めがしやすい。よって、筐体２への第一部材３３の取付性が向上する。
【００９６】
なお、上記実施形態では、固定部品３２Ｂの第一部材３３が、固定部品３２Ａの第一部材３３をＺ方向に沿う軸（不図示）回りに１８０度回転させたものと同じである例が示されたが、これに限定されない。例えば、固定部品３２Ｂの第一部材３３が、固定部品３２Ａの第一部材３３をＹ方向に沿う軸（不図示）回りに１８０度回転させたものと同じである構成であってもよい。
【００９７】
また、上記実施形態では、固定部３６が筒部３１ｂとネジ３５とを有した例が示されたが、これに限定されない。例えば、固定部３６は、爪による引っ掛けや、接着剤等によって電子部品２１を前壁１１（筐体２）に固定する構成であってもよい。
【００９８】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００９９】
１…電子機器、１Ａ…第一電子機器（電子機器）、１Ｂ…第二電子機器（電子機器）、２…筐体、１１…前壁（壁）、１１ｂ…内面（面）、２１，２１Ａ，２１Ｂ…電子部品、３０，３０Ａ，３０Ｂ…固定構造（電子部品の固定構造）、３１ａ…接触部、３１ｂ…筒部、３１ｃ…第一突起、３１ｄ…第二突起、３３…第一部材、３３ａ…押さえ部、３３ｃ…被固定部、３３ｅ…第二開口部、３３ｆ…第三開口部、３３ｈ…第一開口部、３３ｉ…第五開口部、３３ｍ，３３ｎ…面、３４，３４Ａ，３４Ｂ…シート、３４ｃ…第四開口部、３４ｍ，３４ｎ…面、３５…ネジ（固定具）、３６…固定部、Ｄ１…第一方向、Ｄ２…交差方向、Ｐ１…仮想平面。
【図１】
2020080374.tif 000003
【図２】
2020080374.tif 000004
【図３】
2020080374.tif 000005
【図４】
2020080374.tif 000006
【図５】
2020080374.tif 000007
【図６】
2020080374.tif 000008
【図７】
2020080374.tif 000009
【図８】
2020080374.tif 000010
【図９】
2020080374.tif 000011
【図１０】
2020080374.tif 000012
【図１１】
2020080374.tif 000013
【図１２】
2020080374.tif 000014
【図１３】
2020080374.tif 000015
【図１４】
2020080374.tif 000016
【図１５】
2020080374.tif 000017
【図１６】
2020080374.tif 000018
【図１７】
2020080374.tif 000019
【図１８】
2020080374.tif 000020
【図１９】
2020080374.tif 000021
【図２０】
2020080374.tif 000022
【図２１】
2020080374.tif 000023
【図２２】
2020080374.tif 000024